(57)【要約】【課題】ハリスを結びつける必要がない釣針と、釣針の装着や着け替えがワンタッチでできる釣針の着脱具を提供する。【解決手段】釣針１ａは、針先２と、これに続く軸部４とから成り、前記軸部４の外周には一定ピッチの水平凸溝５を複数設けるとともに、前記軸部４の先端部６を円錐状にする。その釣針１ａの着脱具１０は、釣糸結糸部２２、胴部２４及び釣針１ａの軸部４を差し込むための釣針係着部２６とからなり、釣針係着部２６の下端部２７から胴部２４方向に向けて軸対称に切込溝Ａを設けて対設壁Ａ１、Ａ２を備えたチャック装備体２１と、該チャック装備体２１の胴部２４にスライド可能に外嵌させたチャック操作体１１とで構成し、チャック操作体１１を胴部２４を釣針係着部２６方向に前進させると下端部２７側の対設壁Ａ１、Ａ２が閉じ後退させると拡開することにより前記切込溝Ａに釣針１ａを着脱させる。【選択図】      図４
2004242648.tif 000002
【特許請求の範囲】
【請求項１】
針先と、これに続く軸部とから成り、前記軸部の外周には一定ピッチの水平凸溝を複数設けるとともに、前記軸部の先端部を円錐状にしたことを特徴とする釣針。
【請求項２】
針先と、これに続く軸部と該軸部の先端に頭部を備えてなることを特徴とする釣針。
【請求項３】
前記頭部に尖頭部を備えてなることを特徴とする請求項２記載の釣針。
【請求項４】
釣糸結糸部、胴部及び釣針係着部とからなり、胴部には釣針係着部に向けて先太となる傾斜部を設け、釣針係着部には下端部から胴部内部方向に向けて下端部を拡開状とする対設壁で形成する切込溝を設けるともに、前記対設壁には対向状に一定ピッチに刻設した水平凹溝を備えてなるチャック装備体と、該チャック装備体の胴部にスライド可能に外嵌させたチャック操作体とで構成した請求項１記載の釣針の着脱具であって、チャック操作体を前記胴部の傾斜部方向に前進させると前記下端部側の対設壁が閉じ後退させると拡開することにより前記切込溝への釣針の着脱を可能としたことを特徴とする請求項１記載の釣針の着脱具。
【請求項５】
基端部から分岐して先端部に向けて拡開する断面が略逆Ｖ字状をなす一対の対設片で胴部を形成し、該対設片の先端部に連続させてそれぞれ相手方先端部を臨むように延設片を折曲形成させるとともに、延設片には延設端部を開口させた対向状の開口溝を備えてなるチャック装備体と、該チャック装備体の胴部にスライド可能に外嵌させたチャック操作体とで構成した請求項２または３記載の釣針の着脱具であって、チャック操作体を前記胴部の先端部方向に前進させると対設片が閉じて延設片同士が重合すると同時に双方の開口溝も重なり合って釣針の頭部を係着する閉鎖状の係着孔が形成され後退させると前記係着孔の形成が解除されることを特徴とする請求項２または３記載の釣針の着脱具。
【請求項６】
弾性体を腰部と対向状の対設片とで一体形成させて断面が略Ｕ字状に成形し、一方の対設片には先端部から腰部に向けて先端部が開口してチャック装備体の胴部を挿入可能とする係合溝を備え、他方の対設片には先端部から腰部に向けて先端部が開口して釣針の胴部を挿入可能とする係合溝を備えてなることを特徴とする請求項５記載の釣針の着脱具用操作補助具。
【発明の詳細な説明】
【０００１】
【発明の属する技術分野】
本発明は、新規な釣針並びにその釣針をワンタッチで着脱可能とする釣針の着脱具及びその釣針の着脱具の操作を容易にする着脱具用操作補助具に関する。
【０００２】
【従来の技術】
従来、釣針１は図１１に示される従来例（例えば、特許文献１参照）のように、針先２、腰部３それに続く軸部４及びチモト７とで構成されている。そして、かかる釣針１に対して、ハリス５０が軸部４に結ばれる。
【０００３】
【特許文献】
特開平８−２５６６３９号公報（第１頁、第１図）
【０００４】
【発明が解決しようとする課題】
しかし、軸部４にハリス５０を結びつける作業は結び目がチモト７から抜け出ないようにするために熟練を要する。また釣針１がハリス５０の一部まで切断されてしまったような場合には、釣針１の付け替えを行うために新たに軸部４にハリス５０を結びつけなければならず手間がかかる。特に釣針１は非常に小さいものであるから、足場の悪い釣場や悪天候の場合にこの作業を行うには時間を要する場合がある。従って、その間は釣を一時中断せざるを得ない。一方、餌のみが食われた場合には、針先２から新たに餌を付け直さなければならない。ところが針先２は湾曲しているために、急いでこの作業を行うとうっかり指を針先２に刺してしまうことがある。さらに餌を正しく針先２に刺さないと投入時に餌がクルクル回ってハリス５０が捩れたり、餌が弱ってしまって魚の食いつきが極端に落ちてしまう場合もある。
【０００５】
本発明は、かかる従来技術の課題を抜本的に解消するために創案されたものであって、新規な釣針とその釣針を極めて簡便に装着、付け替えすることができるその釣針の着脱具並びにその釣針の着脱具の操作を容易にする着脱具用補助具を提供することを目的とする。
【０００６】
【課題を解決するための手段】
上記目的を達成するために、本発明に係る釣針は、請求項１に記載したように、針先と、これに続く軸部とから成り、前記軸部の外周には一定ピッチの水平凸溝を複数設けるとともに、前記軸部の先端部を円錐状にしたことを特徴とするものである。
【０００７】
このように構成したことにより、本発明に係る釣針によれば、軸部の水平凸溝を別途手段によって吊持させるだけで釣針セットの準備は完了するから、釣針のチモトが不要となるばかりでなく、釣針の軸部にハリスを結びつける作業も必要なくなる。さらに餌を円錐状の先端部から軸部に直線状に刺すことができるので、湾曲状の針先よりも容易に装着できるばかりでなく、指を針先に刺してしまう不注意も軽減することができる。
【０００８】
また本発明に係る釣針は、請求項２に記載したように、針先と、これに続く軸部と該軸部の先端に頭部を備えてなることを特徴とするものである。
【０００９】
このように構成したことにより、本発明に係る釣針によれば、軸部を加工するまでもなく頭部を別途手段によって吊持させるだけで釣針セットの準備は完了するから、釣針のチモト部が不要となるばかりでなく、釣針の軸部にハリスを結びつける作業も必要なくなる。
【００１０】
このように構成した釣針においては、請求項３に記載したように、前記頭部に尖頭部を備えるようにすることが好ましい。したがって、この釣針においては、さらに餌を尖頭部から軸部に直線状に刺すことができるので、湾曲状の針先よりも容易に装着できる。
【００１１】
また本発明に係る釣針の着脱具は、請求項４に記載したように、請求項１記載の釣針に係る釣針の着脱具に係り、釣糸結糸部、胴部及び釣針係着部とからなり、胴部には釣針係着部に向けて先太となる傾斜部を設け、釣針係着部には下端部から胴部内部方向に向けて下端部を拡開状とする対設壁で形成する切込溝を設けるともに、前記対設壁には対向状に一定ピッチに刻設した水平凹溝を備えてなるチャック装備体と、該チャック装備体の胴部にスライド可能に外嵌させたチャック操作体とで構成した釣針の着脱具であって、チャック操作体を前記胴部の傾斜部方向に前進させると前記下端部側の対設壁が閉じ後退させると拡開することにより前記切込溝への釣針の着脱を可能としたことを特徴とする。
【００１２】
このように構成したことにより、本発明に係る釣針の着脱具によれば、釣針の軸部に設けた水平凸溝と着脱具の対設壁に刻設した水平凹溝とが嵌合しあって、釣針の着脱を可能とすることができるから、チャック操作体のワンタッチ操作によって簡単に釣針の着脱を可能とする。
【００１３】
さらに本発明に係る釣針の着脱具は、請求項５に記載したように、請求項２または３記載の釣針に係る釣針の着脱具に係り、基端部から分岐して先端部に向けて拡開する断面が略逆Ｖ字状をなす一対の対設片で胴部を形成し、該対設片の先端部に連続させてそれぞれ相手方先端部を臨むように延設片を折曲形成させるとともに、延設片には延設端部を開口させた対向状の開口溝を備えてなるチャック装備体と、該チャック装備体の胴部にスライド可能に外嵌させたチャック操作体とで構成した釣針の着脱具であって、チャック操作体を前記胴部の先端部方向に前進させると対設片が閉じて延設片同士が重合すると同時に双方の開口溝も重なり合って釣針の頭部を係着する閉鎖状の係着孔が形成され後退させると前記係着孔の形成が解除されることを特徴とするものである。
【００１４】
このように構成したことにより、本発明に係る釣針の着脱具によれば、チャック操作体のワンタッチ操作によって針先の頭部を係着孔に係着することができ、また針交換も簡単である。
【００１５】
また本発明に係る釣針の着脱具用操作補助具は、請求項６に記載したように、請求項５記載の釣針の着脱具に係り、弾性体を腰部と対向状の対設片とで一体形成させて断面が略Ｕ字状に成形し、一方の対設片には先端部から腰部に向けて先端部が開口してチャック装備体の胴部を挿入可能とする係合溝を備え、他方の対設片には先端部から腰部に向けて先端部が開口して釣針の胴部を挿入可能とする係合溝を備えてなることを特徴とする。
【００１６】
このように構成したことにより、本発明に係る釣針の着脱具用操作補助具によれば、指先によるまでもなくチャック操作体を操作させることができ、ワンタッチ操作によって針先の頭部を係着孔に係着することができ、また針交換も簡単である。
【００１７】
【発明の実施の形態】
以下、本発明の実施の形態について、図面を参照しながら詳細に説明する。
【００１８】
図１は、請求項１に係る釣針１ａの一実施例図である。図示のとおり、釣針１ａは、これに続く軸部４とから成り、該軸部４の外周には一定ピッチの多数の水平凸溝５が形成されている。この水平凸溝５は、後記するような釣針の着脱具によって装着される部位である。軸部４の先端は円錐状に加工されている。このようにしたのは、餌をこの先端側から軸部４に付けることを可能にするためである。
すなわち従来例のように針先２から餌を付けることはもとより可能ではあるが、軸部４の先端からも餌の大きさ等によって選択的に付けられるようにしたものである。軸部４は丸棒状をなしているので、餌を釣針１ａに容易に付けられるという効果があり、さらに指をうっかり針先２に刺してしまうという危険も軽減できるという副次的効果もある。
【００１９】
もとより上記軸部４の先端にチモト７を設けて（不図示）、従来例と同様に軸部４にハリス５０を結べば、水平凸溝５にハリス５０がしっかり食い込んで結び目が外れにくくなるが、本発明では、チモト７を設ける必要がない。またハリス５０を釣針１ａに結びつけることもないので、ハリス５０も準備する必要がない。
【００２０】
図２も、釣針に係るものであって、同図（ａ）は請求項２に係る釣針１ｂ、同図（ｂ）は請求項３に係る釣針１ｃの一実施例をそれぞれ示す。図示のとおり、両釣針１ｂ、１ｃはとも請求項１に係る釣針１ａとは、軸部４に水平凸溝５を形成させない点で異なる。一方、軸部４の先端に頭部８を備える点で共通し、更に請求項３に係る釣針１ｃは頭部８の先に尖頭部９を突成させている。
【００２１】
ここに頭部８は、別途用意された釣針の着脱具によって吊持される部位となるもので、軸部４の径より大きなものであって、球状、円柱状、星型等その形状は限定されない。また尖頭部９は、請求項１に係る軸部４の先端と同様な機能有するもので、先端に向けて尖っているものであれば足りる。これらの釣針１ｂ、１ｃにおいても、チモト７やハリス５０は不要となり、したがって釣針１ｂ、１ｃにハリス５０を結びつける作業も必要ない。
【００２２】
図３乃至図５は、請求項１に記載した釣針１ａを装着ないし離脱させるための釣針の着脱具１０の一実施例図（縦断面図）である。着脱具１０は、釣針１ａ（より詳しくは軸部４）を着装しまたは外すために作用させるチャック装備部材２１と該チャック装備部材２１を操作するためのチャック操作部材１１とで構成される。
【００２３】
チャック装備部材２１は、上方から順に釣糸結糸部２２、胴部２４及び釣針係着部２６とからなり、充実丸鋼や充実樹脂製円柱材を加工して一体形成させる。円柱状の釣糸結糸部２２には、道糸（不図示）またはハリス５０程度の細い釣糸を結ぶための挿通孔３１が穿設されている。胴部２４は釣糸結糸部２２の外径よりひと回り小さい円柱状を成すが、下方には釣針係着部２６に向けてなだらかに先太となる傾斜部２５を形成するようにしてある。２３、２９は段部である。
【００２４】
釣針係着部２６は下端部２７に向けて略円錐状をなし、釣針１ａを装着ないし離脱させるための実質的チャック機能を有する部位である。
【００２５】
釣針係着部２６の下端部２７から胴部２４方向に向けて軸対称に切込溝Ａが設けられている。この切込溝Ａは釣針１ａの軸部４を差し込むためのもので、切込溝Ａによって形成された対設壁Ａ１、Ａ２は釣針係着部２６の直径の間に通しで開けられ、下端部２７の溝幅Ｗ１が底部３０側の溝幅Ｗ２より若干広くなって拡開状の開口をなしている。この対設壁Ａ１、Ａ２の表面には対向状に釣針１ａの水平凸溝５と同一ピッチの水平凹溝２８が多数刻設されている。また切込溝Ａの底部３０は錐状に形成される。これは釣針１ａの軸部４の先端の円錐状に対応させるためのものである。
【００２６】
一方、チャック操作部材１１は、円環状のリンクないし筒状体であって、外形面１２、内径面１４、上面１３、下面１６とからなる。チャック操作部材１１は、スライド範囲が段部２３、２９によって規制され、胴部２４（傾斜部２５を含む。）の軸の上下間に進退移動できるようになっている。内径面１４の下方側一部は内径が緩やかに大きくなるよう緩傾斜面１５とする。この緩傾斜面１５の角度は、胴部２４の傾斜部２５の傾斜角と略同一である。チャック操作部材１１は、胴部２４（傾斜部２５を含む。）に着脱自在とするために開放状のリンクないし筒状体であってもよい。また。チャック操作部材１１の表面色は餌の色に近似させることが好ましい。魚の警戒心を緩和させ得るからである。
【００２７】
図６乃至図８は、請求項２または３に記載した釣針１ｂ、１ｃを着脱させるための釣針の着脱具６０の一実施例である。着脱具６０は、釣針１ｂ（１ｃ）を着脱する作用を有するチャック装備部材８０と該チャック装備部材８０を操作するためのチャック操作部材７０とで構成される。
【００２８】
チャック装備部材８０は、図６（ａ）に示すように、一枚の弾力性のある薄板（鋼板や樹脂板など）をプレス加工によって断面視において略逆Ｖ字状に成形してなり、略同一長さからなる一対の対設片８２、８３を基端部８４から分岐させて同方向に延設させて胴部８１とさせる。これら対設片８２、８３の各先端部８５、８６から内々側に向けて延設片８７、８８を折曲形成させる。そして延設片８７、８８には、それぞれ延設端部８７ａ、８８ａに開口させた開口溝Ｌ、Ｍを双方の開口が対向するように穿設されている。なお、対設片８２、８３に切り欠した凹溝Ｈ、Ｈは後記するチャック操作部材７０の係止溝である。
【００２９】
ここで延設片８７、８８は、延設片８７、８８間に少なくとも釣針１ｂ（１ｃ）の頭部８の幅以上の隙間ができるように離間させる（図６（ｂ）参照）。したがって、チャック装備部材８０は胴部８１となる対設片８２、８３が基端部８４から先端部８５、８６に向けて拡開している。
【００３０】
一方、チャック操作部材７０は、円環状のリンクないし筒状体であって、外形面７１、内径面７２、上面７３、下面７４とからなる。チャック操作部材７０は、胴部８１の軸上下間に進退移動できるようになっている。チャック操作部材７０は、胴部８１に着脱自在とするために開放状のリンクないし筒状体であってもよい。また、チャック操作部材７０の表面色は餌の色に近似させることが好ましい。
魚の警戒心を緩和させ得るからである。なお、チャック操作部材７０は丸棒や樹脂棒を円環状に成形してリンクないし筒状体にしたものであってもよい。
【００３１】
図９及び図１０は請求項５記載の釣針の着脱具６０に使用する釣針の着脱具用操作補助具１００の一実施例を示す図である。着脱具用操作補助具１００は、腰部１３０の両側に延設される一対の対向状の対設片１１０、１２０とで一体成形されて断面が先端方向に拡開する略Ｕ字状の弾性体である。一方の対設片１１０には先端部１１０ａから腰部１３０に向けて先端部１１０ａが開口してチャック装備体８０の胴部８１を挿入可能とする開口溝Ｕ１が穿設されており、他方の対設片１２０には先端部１２０ａから腰部１３０に向けて先端部１２０ａが開口して釣針１ｂ（１ｃ）の胴部４を挿入可能とする開口溝Ｕ２が穿設されている。なお、着脱具用操作補助具１００は磁力を帯有した薄板バネ鋼であることが望ましい。
【００３２】
さて、このように構成された釣針１ａ、１ｂ、１ｃとその着脱具１０、６０並びに着脱具用操作補助具１００の可能な組み合わせ（コンビネーション）による釣針１ａ、１ｂ、１ｃの着脱操作、作用について以下説明する。
【００３３】
コンビネーションＩ：釣針１ａとその着脱具１０との組み合わせ。図４、図５に示すように、餌をすでに軸部４の先端または針先２から付けた状態（不図示）の釣針１ａを軸部４の先端をチャック装備部材２１の対設壁Ａ１、Ａ２の間に垂直に差し込む。この場合、対設壁Ａ１、Ａ２の下端部２７側の溝幅Ｗ１が軸部４の径よりも大きく設定されており、底部３０に向かうに従って徐々に軸部４の径に近づける溝幅Ｗ２にしてある（軸部４の径をＷ２とした。）ので、軸部４は容易に軸部４の先端が底部３０に至るように仮差し込みをすることができる。この状態でチャック操作部材１１を釣針係着部２６方向に前進させる。チャック操作部材１１の下面１６が傾斜部２５に摺接しつつ、内径面１４が傾斜部２５を圧接しながら前進するから、対設壁Ａ１、Ａ２の間隔Ｗ１は次第に縮まる。チャック操作部材１１の下面１６が段部２９に当接するとチャック操作部材１１の前進が制止され、この時点で対設壁Ａ１、Ａ２の間隔Ｗ１は、ほぼ釣針１ａの軸部４の径Ｗ２となる。
【００３４】
このようにチャック操作部材１１を釣針係着部２６に前進させて下面１６が段部２９に当接すると、釣針１ａの水平凸溝５はチャック装備部材２１の水平凹溝２８、２８間に挟持されて完全に嵌合状態となる。従って今までの仮止めされていた釣針１ａは、ワンタッチでチャック装備部材２１に装着することができる。
【００３５】
また、水平凸溝５、水平凹溝２８は同一ピッチで多数形成されているので、釣針１ａが魚等によって引っ張られた場合においても、簡単に針１ａが着脱具１０から外れてしまうことがない。しかも水平凸溝５、水平凹溝２８はともに水平方向に刻設されているので、釣針１ａの軸部４を対設壁Ａ１、Ａ２間に差し込む場合、多少倒れ勝手に差込をしてもチャック操作部材１１の前進に伴って倒れが矯正され得る。さらに水平凹溝２８は対向壁をなしているから、針１ａを同時に複数本対設壁Ａ１、Ａ２間に差し込んで同時装着をすることもできる。
【００３６】
一方、針１ａを着脱具１０から外す場合は、以上の操作と逆の操作を行えばよい。すなわちチャック操作部材１１を釣糸結糸部２２側に後退させれば、釣針係着部２６の対設壁Ａ１、Ａ２が再び拡開状態に復帰するので、針１ａを着脱具１０から容易に外すことができる。
【００３７】
以上の各操作は指先を使って釣針の着脱具１０に針１ａを確実かつ安全に着脱することができる。
【００３８】
なお、釣糸結糸部２２の挿通孔３１には道糸またはハリス５０程度の細い釣糸を結びつけておけば、直ちに釣りをすることができる。
【００３９】
コンビネーションＩＩ：釣針１ｂ（１ｃ）とその着脱具６０との組み合わせ。図７、８に示すように、餌をすでに軸部４の先端に頭部８若しくは尖頭部９又は針先２から付けた（不図示）釣針１ｂ（１ｃ）を着脱具６０の一方の開口溝Ｌ、Ｍに頭部８が開口溝Ｌ又はＭによって吊持されるように差し込む。開口溝Ｌ、Ｍの溝幅Ｗ３、Ｗ４は軸部４より若干大きく頭部８の幅より小さく設定されているので、釣針１ｂ（１ｃ）の差込はきわめて簡単である。続いてチャック操作部材７０を先端部８５、８６方向に前進させる。チャック操作部材７０の内周面が拡開状の対設片８２、８３の外側表面を徐々に圧接しながら前進する。チャック操作部材７０が凹溝Ｈ、Ｈに嵌り込んだときに、延設片８７、８８は重合状態となる（図７（ａ）（ｃ）参照）。これと同時に開口溝Ｌ、Ｍが重なり合い開口溝Ｌ、Ｍ間に新たに閉鎖状の係着孔Ｎが形成される（図７（ｃ）参照）。この係着孔Ｎによって軸部４がしっかり把持される。頭部８は係着孔Ｎの孔より大きいから、最早釣針１ｂ（１ｃ）が釣針着脱具６０から脱落する恐れもない。また開口溝Ｌ、Ｍを複数対向状に設定すれば、釣針１ｂ（１ｃ）を同時に着脱具６０に着装することもできる。
【００４０】
一方、釣針１ｂ（１ｃ）を着脱具６０から外すには、以上の操作と逆の操作を行えばよい。すなわちチャック操作部材７０を基端部８４側に後退させればよい。
【００４１】
以上の各操作は指先を使って釣針の着脱具６０に針１ｂ（１ｃ）を確実かつ安全に着脱することができる。
【００４２】
なお、挿通孔３１には道糸またはハリス５０程度の細い釣糸を結びつけておけば、直ちに釣りをすることができる。
【００４３】
コンビネーションＩＩＩ：釣針１ｂ（１ｃ）、その着脱具６０と着脱具用操作補助具１００の組み合わせ。釣針１ｂ（１ｃ）とその着脱具６０の組み合わせは既述のとおりであるが、これに着脱具用操作補助具１００を使用する場合の１ｂ、１ｃの着脱操作、作用を図１０に基づいて説明する。
【００４４】
着脱具用操作補助具１００を把持し、対設片１１０の開口溝Ｕ１に胴部８１を挿入し、チャック操作部材７０の上面７３に当てる。一方、対設片１２０の開口溝Ｕ２をすでに着脱具６０の一方の開口溝Ｌ、Ｍに頭部８が開口溝Ｌ又はＭによって吊持ちされている軸部４を差し込むようにしながら延設片８８の下面にあてがう。そして対設片１１０を図１０の矢印方向に押圧する。するとチャック操作部材７０が前進し、凹溝Ｈ、Ｈに嵌り込む。これによって開口溝Ｌ、Ｍが重なり合い開口溝Ｌ、Ｍ間に新たに閉鎖状の係着孔Ｎが形成される。この係着孔Ｎによって軸部４がしっかり把持される。なお、着脱具用操作補助具１００が磁性を帯有しているものであれば、開口溝Ｕ２に釣針１ｂ（１ｃ）が磁着されるので、釣針１ｂ（１ｃ）を落としたり紛失したりすることなく容易に着脱具６０の一方の開口溝Ｌ、Ｍに仮装着することができる。
【００４５】
【発明の効果】
以上、本発明によれば、請求項１に記載した釣針のように、軸部の水平凸溝を別途手段によって挟持させれば釣り糸を釣針に結ぶ必要がなくなる。また餌も軸部先端に設けた円錐状の先端部から刺すこともできるという特有の作用効果もある。また請求項２、請求項３に記載した釣針によれば、軸部を特殊加工する必要や釣針に釣り糸を結ぶ必要がなくなる。さらに請求項４に記載した釣針の着脱具によれば、釣針をワンタッチで装着することができる。また請求項５に記載した釣針の着脱具によれば、きわめて簡単な構造でありながら、釣針をワンタッチで装着することができる。さらに請求項６に記載した着脱具用操作補助具によれば、指先によって直接釣針の着脱具を操作することなく釣針を装着することができる。
【図面の簡単な説明】
【図１】請求項１に係る釣針の正面図である。
【図２】（ａ）は請求項２に係る釣針の正面図である。
（ｂ）は請求項３に係る釣針の正面図である。
【図３】請求項４に係る釣針の着脱具の縦断面図である。
【図４】請求項１の釣針を請求項４に係る釣針の着脱具に着装した断面図である。
【図５】図４の斜視図である。
【図６】（ａ）は請求項５に係る釣針の着脱具の縦断面図である。
（ｂ）は（ａ）図のＸ−Ｘ矢視図である。
【図７】（ａ）は請求項２または３の釣針を請求項５に係る釣針の着脱具に着装した正面図である。
（ｂ）は（ａ）図の側面図である。
（ｃ）は（ａ）図のＹ−Ｙ矢視図である。
【図８】図７（ａ）の斜視図である。
【図９】着脱具用操作補助具の斜視図である。
【図１０】着脱具用操作補助具の操作例図である。
【図１１】従来の釣針の正面図である。
【符号の説明】
１、１ａ、１ｂ、１ｃ  釣針
２  針先
４  軸部
５  水平凸溝
６  先端部
８  頭部
１０、６０  釣針着脱具
１１、７０  チャック操作部材
２１、８０  チャック装備部材
２２  釣糸結糸部
２４、８１  胴部
２６  釣針係着部
２７  下端部
３１  挿通孔
１００  釣針着脱用補助具
１１０、１２０  対設片
Ａ    切込溝
Ａ１、Ａ２  対設壁
【図１】
2004242648.tif 000003
【図２】
2004242648.tif 000004
【図３】
2004242648.tif 000005
【図４】
2004242648.tif 000006
【図５】
2004242648.tif 000007
【図６】
2004242648.tif 000008
【図７】
2004242648.tif 000009
【図８】
2004242648.tif 000010
【図９】
2004242648.tif 000011
【図１０】
2004242648.tif 000012
【図１１】
2004242648.tif 000013